(57)【特許請求の範囲】
【請求項１】
駆動用マグネットを備えた駆動回転体および従動用マグネットを備えた従動回転体を有するポンプ本体と、
前記駆動回転体に先端が接続されたシャフト、このシャフトの後端に接続された冷却用ファンおよびこの冷却用ファンを覆うファンカバーを有し、前記駆動回転体を回転させるための電動機とを備え、
前記シャフトの後端部には、前記シャフトを手動回転させるためのハンドルと係合し得るハンドル係合部が設けられ、
前記ファンカバーには、前記ハンドルを挿入するための挿入口が前記シャフトの後方位置に設けられていることを特徴とするマグネット式渦巻遠心ポンプ。
【請求項２】
前記ハンドル係合部が前記シャフトの後端部に設けられた六角穴付きボルトの六角穴であり、前記ハンドルが六角棒レンチである請求項１記載のマグネット式渦巻遠心ポンプ。
【発明の詳細な説明】
【０００１】
【発明の属する技術分野】
本発明は、腐食性流体等の流体を送液するのに好適なマグネット式ポンプに関する。
【従来の技術】
【０００２】
従来から、腐食性流体等を送液する用途でマグネット式ポンプが用いられている。図２は、従来のマグネット式ポンプの一例を示す一部破断正面図であり、このマグネット式ポンプは渦巻遠心ポンプである。図２に示すように、マグネット式渦巻遠心ポンプ３１は、駆動用マグネット１４を備えた駆動回転体１６および従動用マグネット１３を備えた従動回転体１７を有するポンプ本体１００と、前記駆動回転体１６に先端が接続されたシャフト３、このシャフト３の後端に接続された冷却用ファン３２、このファン３２を覆うファンカバー３３および電動機ケーシング９を有する電動機１０２とを備えている。ファンカバー３３には通気用のスリット３４が設けられる。
【０００３】
前記駆動用マグネット１４と従動用マグネット１３とは、ケーシングガスケット２１を介して設けられたフロントケーシング１０とハウジング１２とにより区分けされ、互いに対向して配置されている。前記駆動回転体１６はリアケーシング１１によって覆われている。前記フロントケーシング１０とハウジング１２により両端が支持されている主軸１５と、従動回転体１７との間にはベアリング２２が設けられている。従動回転体１７の前面側にはフロントスラストリング２４とマウスリング２５が設けられ、ハウジング１２の主軸支持部分にはベアリング２２の後端部分と摺動するリアスラストリング２３が設けられている。前記シャフト３および駆動回転体１６は一体となって回転軸８を中心として回転し、従動回転体１７および冷却用ファン３２は一体となって回転軸８を中心として回転する。
【０００４】
前記シャフト３の回転に伴って駆動回転体１６が回転すると、駆動用マグネット１４と磁力による結合状態にある従動用マグネット１３を備えた従動回転体１７が主軸１５の回りを回転する。これにより、流体は、吸引口１８からフロントケーシング１０とハウジング１２により区画されたポンプ室内に吸引され、従動回転体１７の流体通路１９を通り吐出口２０から吐出される。
【０００５】
上記のようなマグネット式ポンプの使用にあたっては、事前に以下のような項目について確認が必要である。また、使用中であっても、ポンプに異常が発生したときには、以下の確認が必要とされている。
(1)  ポンプ３１内部に異物のかみ込みがないか。
(2)  ポンプ３１内部に破損がないか。
(3)  駆動用マグネット１４と従動用マグネット１３との相対位置にずれがないか（磁力による結合状態にあるか。）。
また、図２に示すようなマグネット式渦巻遠心ポンプ３１では、更に下記(4)の確認が必要である。
(4)  ポンプ室内が流体で満たされているか（空気だまりが存在しないか）。
【０００６】
すなわち、上記(1)のような状態で運転すると、異常音が発生したり、振動が生じることがあり、ついにはポンプ３１内部が破損するおそれがある。ポンプ３１内部に異物のかみ込みがあるかどうかを確認するには、シャフト３を手動で回転させて、シャフト３がスムーズに回転するかどうかによって判断することができる。また、上記(2)の場合も、(1)と同様にして確認することができる。
【０００７】
上記(3)のような状態で運転すると、駆動回転体１６が回転しても従動回転体１７がそれに伴って回転しないので、流体が吐出しない。このような場合には、シャフト３を手動で回転させて、駆動用マグネット１４と従動用マグネット１３とのずれを調整する。
【０００８】
上記(4)のように空気だまりが存在する場合には、十分な吐出量が得られないか、あるいは流体が全く吐出しないことがある。また、多量の空気だまりがある場合には、内部に焼き付けが生じたりするおそれがある。このような場合には、ポンプ室内に流体を補給したり、シャフト３を手動で数回回転させる等して空気だまりを吐出口２０等から除去する。
【０００９】
したがって、以上の(1)〜(4)に示した異常を確認あるいは解消するためには、いずれもシャフト３を手動で回転させることが必要である。シャフト３を手動で回転させるためには、通常、ファンカバー３３を取り外して、シャフト３に取り付けられた冷却用ファン３２を手で回転させる。しかしながら、異常確認のたび毎にファンカバー３３の取り外しおよび取り付けを行うのは非常に手間がかかり、作業が煩雑であった。また、冷却用ファン３２を直接手で触るため安全上の問題が懸念される。その一方、ファンカバー３３を除去あるいは着脱容易にすることも安全上問題がある。
【００１０】
【発明が解決しようとする課題】
本発明の目的は、安全かつ簡単にポンプの異常を確認あるいは解消することができるマグネット式ポンプを提供することである。
【００１１】
【課題を解決するための手段】
上記課題を解決するための本発明のマグネット式ポンプは、駆動用マグネットを備えた駆動回転体および従動用マグネットを備えた従動回転体を有するポンプ本体と、前記駆動回転体に先端が接続されたシャフト、このシャフトの後端に接続された冷却用ファンおよびこの冷却用ファンを覆うファンカバーを有し、前記駆動回転体を回転させるための電動機とを備え、前記シャフトの後端部には、前記シャフトを手動回転させるためのハンドルと係合し得るハンドル係合部が設けられ、前記ファンカバーには、前記ハンドルを挿入するための挿入口が前記シャフトの後方位置に設けられていることを特徴とする。
【００１２】
このように、本発明にかかるマグネット式ポンプは、前記シャフトの後端部にハンドル係合部を備え、ファンカバーに前記ハンドルを挿入するための挿入口が前記シャフトの後方位置に設けられているので、ファンカバーを取り付けたままでハンドルを挿入口から挿入してハンドル係合部に係合させ、このハンドルを回転させることによってシャフトを回転させることができる。これにより、ポンプの異常確認のたび毎にファンカバーの取り外しおよび取り付けを行う必要がなくなり、しかもシャフトを回転させるためにファンを直接手で触る必要がなくなるので、安全かつ簡単にポンプ室内の異常を確認あるいは解消することができる。
【００１３】
【発明の実施の形態】
以下、図面を参照して本発明を詳細に説明する。図１は、本発明の一実施形態であるマグネット式渦巻遠心ポンプを示す一部破断正面図である。なお、図１において、前述の図２と同じ部材については同一符号を付して説明を省略する。
【００１４】
図１に示すように、この実施形態にかかるマグネット式渦巻遠心ポンプ１は、シャフト３の後端面に冷却用ファン４を介して六角穴付きボルト６が取り付けられ、この六角穴付きボルト６の頭部に設けられた六角穴（ハンドル係合部）に六角棒レンチ２（ハンドル）を係合させることによりシャフト３を手動回転できるようにしたものであって、ファンカバー５には手動回転時に六角棒レンチ２を挿入するための挿入口７が設けられている。
【００１５】
六角穴付きボルト６をシャフト３の後端面に取り付けるには、例えばシャフト３の後端面にボルト６と螺合するねじ穴（図示せず）を穿設し、冷却用ファン４に設けたボルト挿通孔を介してボルト６を上記ねじ穴に螺合させる。
【００１６】
六角穴付きボルト６の有効ねじ深さ（ねじ穴に螺合する雄ねじ部の長さ）は、少なくとも１０ｍｍあればよい。また、六角穴付きボルト６のサイズは、特に限定されるものではなく、シャフトを手動回転させるために必要なトルクに応じて決定すればよい。具体的には、例えば電動機出力が１１ｋＷ未満の場合には、ＪＩＳ Ｂ １１７６に規定される、いわゆる「ねじの呼び」に記載のＭ５〜Ｍ８程度の六角穴付きボルトを、１１〜２２ｋＷ程度の場合にはＭ６〜Ｍ１２程度六角穴付きボルトをそれぞれ使用するのがよい。また、電動機出力が２２ｋＷを越える場合であっても、必要なトルクに応じて適切な六角穴付きボルト６を決定すればよい。
【００１７】
六角穴付きボルト６のねじ穴への螺合方向は、右向きおよび左向きのどちらであってもよいが、好ましくは六角穴付きボルト６の螺合方向（締付け方向）と、六角棒レンチ２によるシャフト３の手動回転方向とが同一方向となるのがよい。六角穴付きボルト６の螺合方向とシャフト３の手動回転方向とが逆方向となる場合には、六角穴付きボルト６がゆるんで脱落するのを防止する対策を施すのが好ましい。このような脱落防止対策としては、例えば六角穴付きボルト６とシャフト３とを溶接により接合したり、接着剤により接合すればよい。
【００１８】
六角棒レンチ２としては、図１に示すようなＬ字形状の他、例えばＴ字形状（図示せず）のもの等を使用することができる。
【００１９】
ファンカバー５に設ける挿入口７の開口位置は、ファンカバー５のほぼ中心、すなわちシャフト３の後方位置である。また、挿入口７の口径は、使用する六角棒レンチ２の挿入に支障がない大きさであればよいが、あまり大きくなると誤って指を入れてしまう危険性があるので、挿入口７の口径は通常６〜１５ｍｍ程度であればよい。
【００２０】
この実施形態において、ポンプ本体１００内の異常を確認するには、六角棒レンチ２を挿入口７から挿入し、六角穴付きボルト６の頭部に設けられた六角穴に係合させる。この状態で、六角棒レンチ２を回転（例えばボルト6の締付け方向に回転）させると、シャフト３をこれと同方向に回転させることができる。これにより、ポンプの異常確認のたび毎に、ファンカバー５の取り外しおよび取り付けを行う必要がなくなり、安全かつ簡単にポンプ室内の異常を確認あるいは解消することができる。
【００２１】
なお、以上の実施形態では、ハンドル係合部が六角穴付きボルト６の六角穴の場合について説明したが、ハンドル係合部はこのような六角穴等の係合穴に限定されず、例えばシャフト３の後端面から軸方向に突設した係合用の突起でもよい。この場合、使用するハンドルはこの突起に係合する凹部を先端に有する棒状部材が使用できる。
【００２２】
また、上記実施形態では、六角穴付きボルト６は冷却用ファン４を介してシャフト３に螺合している場合について説明したが、冷却用ファン４の取付け構造によってはシャフト３の後端面がファンカバー５側に露出している場合もある。このような場合はシャフト３の後端面に六角穴付きボルト６を直接螺合させて六角穴付きボルト６を取付ける。
【００２３】
さらに、上記実施形態では、マグネット式ポンプとしてマグネット式渦巻遠心ポンプを例に挙げて説明したが、マグネット式ベーンポンプ等の他のマグネット式ポンプにも同様にして本発明を適用することができる。
【００２４】
【発明の効果】
本発明によれば、安全かつ簡単にポンプの異常を確認あるいは解消することができるという効果がある。
【図面の簡単な説明】
【図１】本発明の一実施形態であるマグネット式渦巻遠心ポンプを示す一部破断正面図である。
【図２】従来のマグネット式渦巻遠心ポンプの一例を示す一部破断正面図である。
【符号の説明】
１…マグネット式渦巻遠心ポンプ、２…六角棒レンチ（ハンドル）、３…シャフト、４…冷却用ファン、５…ファンカバー、６…六角穴付きボルト、７…工具挿入穴、８…回転軸、９…ケーシング、１０…フロントケーシング、１１…リアケーシング、１２…ハウジング、１３…従動用マグネット、１４…駆動用マグネット、１５…主軸、１６…駆動回転体、１７…従動回転体、１８…吸引口、１９…流体通路、２０…吐出口、２１…ケーシングガスケット、２２…ベアリング、２３…リアスラストリング、２４…フロントスラストリング、２５…マウスリング、１００…ポンプ本体、１０１…電動機
【図１】
0003984485.tif 000002
【図２】
0003984485.tif 000003